(57)【要約】【課題】パネルのサイズが大きくても、それを傷つけることなく組み付けることができ、しかも、パネルの交換も簡単にすることのできる額を提供することである。【解決手段】外枠部材Ａの右辺部Ａ３及び左辺部Ａ４の両方またはいずれか一方を、外枠部材Ａの上辺部Ａ１及び下辺部Ａ２に対して移動可能にする一方、上記外枠部材の下辺部Ａ２に有する隙間１４ｂに、ベース部材１５を組み込むとともに、このベース部材１５にパネルＰの下端を載せたときに、パネルＰの上端が外枠部材Ａの上辺部Ａ１に有する隙間１４ａに挿入される一方、外枠部材Ａの下辺部Ａ２に設けた前押さえ部材１２ｂを着脱自在にするとともに、この前押さえ部材１２ｂを取り外したときに形成されるスペースに、パネルＰの下端を挿入すると、パネルＰの上端が外枠部材Ａの上辺部Ａ１に有する隙間１４ａから抜け出す構成にした。【選択図】　図３
2004016340.tif 000002
【特許請求の範囲】
【請求項１】
上下左右の四辺を有する外枠部材の内側に、所定の間隔をあけて前押さえ部材と後押さえ部材とを設けるとともに、これら前押さえ部材と後押さえ部材との隙間に、パネルの外縁部分を挿入してこのパネルを固定する額であって、上記外枠部材の右辺部及び左辺部の両方またはいずれか一方を、外枠部材の上辺部及び下辺部に対して移動可能にする一方、上記外枠部材の下辺部に有する隙間に、ベース部材を組み込むとともに、このベース部材にパネルの下端を載せたときに、このパネルの上端が外枠部材の上辺部に有する隙間に挿入される一方、外枠部材の下辺部に設けた前押さえ部材を着脱自在にするとともに、この下辺部に設けた前押さえ部材を取り外したときに形成されるスペースにパネルの下端を挿入すると、パネルの上端が外枠部材の上辺部に有する隙間から抜け出す構成にしたことを特徴とする額。
【請求項２】
前押さえ部材と後押さえ部材との間に形成される隙間に、クッション部材を設けたことを特徴とする請求項１記載の額。
【請求項３】
外枠部材の上辺部に有する隙間に、パネルの上端を挿入したときに、このパネルの下端が外枠部材の下辺部に設けた後押さえ部材の上面よりも上方に位置する構成にしたことを特徴とする請求項１又は２記載の額。
【請求項４】
パネルの両面に、絵画や写真などの図柄を設けたことを特徴とする請求項１〜３のいずれか１に記載の額。
【請求項５】
一枚のパネルを複数に分割可能にしたことを特徴とする請求項１〜４のいずれか１に記載の額。
【請求項６】
一枚のパネルを構成する各板部の突き合わせ面に連結部を設けるとともに、この連結部によって隣り合う板部を連結する構成にしたことを特徴とする請求項５記載の額。
【請求項７】
複数のプレートを重ね合わせて一枚のパネルを構成し、間に位置するプレートを、前面及び後面に位置するプレートに対してずらすとともに、このずらしたプレートが他のプレートに対して突出した部分によって連結用凸部を形成し、ずらしたプレートが他のプレートに対して窪んだ部分によって連結用凹部を形成し、これら連結用凸部および連結用凹部によって連結部を構成したことを特徴とする請求項６記載の額。
【発明の詳細な説明】
【０００１】
【発明の属する技術分野】
この発明は、特に絵画や写真などを展示するのに適した額に関する。
【０００２】
【従来の技術】
図１５に示すように、外枠部材１には、絵画や写真等の図柄を表面に印刷したパネル２を組み込んでいる。このパネル２は、外枠部材１の裏側から組み込むようにしているが、外枠部材１の裏側の四隅には、板バネなどの弾性体からなる固定部材を設けている。そして、この固定部材の弾性力によって、パネル２を外枠部材１側に押し付けることで、外枠部材１にパネル２を固定するようにしている。
【０００３】
【発明が解決しようとする課題】
上記したように、従来の額は、固定部材の弾性力によって外枠部材１にパネル２を固定しているが、このパネル２は、サイズが大きくなるにつれて、その分、重量も増える。パネル２の重量が増えると、それを固定するための固定部材の弾性力も強くしなければならない。
ところが、固定部材の弾性力を強くすると、外枠部材１にパネル２が大きな力で押し付けられるため、パネル２の表面が傷つき易くなる。
また、固定部材の弾性力を強めれば強めるほど、その取り扱いに大きな力が必要になり、固定部材の操作性が低下する。このように固定部材の操作性が低下すると、例えばパネル２を交換しようとした場合に、その交換作業がやりにくくなる。しかも、パネル２のサイズが大きくなれば、このパネル２自体の取り扱いも大変になるので、いっそう交換作業がやりにくくなる。
【０００４】
また、絵画というのは、その原画の原寸大で鑑賞することによって、その絵の素晴らしさを実感できる場合が多い。ところが、名画といわれるものの中には、原画のサイズが大きいものが多い。このようなサイズの大きい絵画を、原寸大でパネル２に印刷したり、あるいは原寸大のフィルムをパネル２に貼り付けたりした場合には、当然のこととしてパネル２の重量が重くなる。したがって、この場合には、上記したように、パネル２の重量に応じて固定部材の弾性力を強めなければならず、それが原因でパネル２の表面が傷ついてしまうおそれがある。
【０００５】
絵画や写真というのは、それを複製するにあたり著作権者などの許諾を必要とし、複製と言えどもそれを利用するにはコストがかかる。特に、名画といわれるものは、その複製にも高い価値があり、高価な絵画の複製が、額に組み付けたために傷ついてしまうということは、非常に問題がある。そして、従来は、このように額に組み付けた場合の問題があるため、複製の場合には縮小されることが多くなり、名画を原寸大でパネル化するということは少なかった。
この発明の目的は、パネルのサイズが大きくても、それを傷つけることなく組み付けることができ、しかも、パネルの交換も簡単にすることのできる額を提供することである。
【０００６】
【課題を解決するための手段】
第１の発明は、上下左右の四辺を有する外枠部材の内側に、所定の間隔をあけて前押さえ部材と後押さえ部材とを設けるとともに、これら前押さえ部材と後押さえ部材との隙間に、パネルの外縁部分を挿入してこのパネルを固定する額であって、上記外枠部材の右辺部及び左辺部の両方またはいずれか一方を、外枠部材の上辺部及び下辺部に対して移動可能にする一方、上記外枠部材の下辺部に有する隙間に、ベース部材を組み込むとともに、このベース部材にパネルの下端を載せたときに、このパネルの上端が外枠部材の上辺部に有する隙間に挿入される一方、外枠部材の下辺部に設けた前押さえ部材を着脱自在にするとともに、この下辺部に設けた前押さえ部材を取り外したときに形成されるスペースにパネルの下端を挿入すると、パネルの上端が外枠部材の上辺部に有する隙間から抜け出す構成にしたことを特徴とする。
【０００７】
第２の発明は、上記第１の発明において、前押さえ部材と後押さえ部材との間に形成される隙間に、クッション部材を設けたことを特徴とする。
第３の発明は、上記第１又は第２の発明において、外枠部材の上辺部に有する隙間に、パネルの上端を挿入したときに、このパネルの下端が外枠部材の下辺部に設けた後押さえ部材の上面よりも上方に位置する構成にしたことを特徴とする。
【０００８】
第４の発明は、上記第１〜第３の発明において、パネルの両面に、絵画や写真などの図柄を設けたことを特徴とする。
第５の発明は、上記第１〜第４の発明において、一枚のパネルを複数に分割可能にしたことを特徴とする。
第６の発明は、上記第５の発明において、一枚のパネルを構成する各板部の突き合わせ面に連結部を設けるとともに、この連結部によって隣り合う板部を連結する構成にしたことを特徴とする。
【０００９】
第７の発明は、上記第６の発明において、複数のプレートを重ね合わせて一枚のパネルを構成し、間に位置するプレートを、前面及び後面に位置するプレートに対してずらすとともに、このずらしたプレートが他のプレートに対して突出した部分によって連結用凸部を形成し、ずらしたプレートが他のプレートに対して窪んだ部分によって連結用凹部を形成し、これら連結用凸部および連結用凹部によって連結部を構成したことを特徴とする。
【００１０】
【発明の実施の形態】
図１〜図９にこの発明の第１実施形態を示す。
図１に示すように、外枠部材Ａには、パネルＰを組み付けている。このパネルＰは、三枚の板部Ｐ１〜Ｐ３から構成されていて、これら三枚の板部Ｐ１〜Ｐ３を並べてまとまりのある一枚の絵画や写真などの図柄を構成している。
一方、上記外枠部材Ａは、上下左右の四辺を有する四つの部材、すなわち上辺部Ａ１、下辺部Ａ２、右辺部Ａ３、左辺部Ａ４によって構成されている。
【００１１】
上記右辺部Ａ３及び左辺部Ａ４は、図２に示すように中空部６，７を形成し、全体の強度を維持している。また、パネルＰを組み込む内側部分には、所定の間隔を開けて前押さえ部材１２ｃ，１２ｄと後押さえ部材１３ｃ，１３ｄとをそれぞれ設けている。そして、前押さえ部材１２ｃと後押さえ部材１３ｃとの間に形成される隙間１４ｃと、前押さえ部材１２ｄと後押さえ部材１３ｄとの間に形成される隙間１４ｄとに、パネルＰの外縁部分をそれぞれ挿入するようにしている。
さらに、上記後押さえ部材１３ｃ，１３ｄには、クッション部材１６ｃ，１６ｄを固定し、これらクッション部材１６ｃ，１６ｄによってパネルＰのがたつきを防止するようにしている。
【００１２】
また、上記上辺部Ａ１及び下辺部Ａ２も、図３に示すように中空部８，９を形成し、全体の強度を維持している。また、これら中空部８，９には、挿入部材１０，１１を挿入している。
さらに、上辺部Ａ１及び下辺部Ａ２の内側にも、所定の間隔を開けて前押さえ部材１２ａ，１２ｂと後押さえ部材１３ａ，１３ｂとをそれぞれ設けている。そして、前押さえ部材１２ａと後押さえ部材１３ａとの間に形成される隙間１４ａと、前押さえ部材１２ｂと後押さえ部材１３ｂとの間に形成される隙間１４ｂとに、パネルＰの外縁部分をそれぞれ挿入するようにしている。
さらに、上記後押さえ部材１３ａ，１３ｂにも、クッション部材１６ａ，１６ｂを固定し、これらクッション部材１６ａ，１６ｂによってパネルＰのがたつきを防止するようにしている。
【００１３】
上記したように、この第１実施形態では、各辺部Ａ１〜Ａ４に設けた前押さえ部材１２ａ〜１２ｄと後押さえ部材１３ａ〜１３ｄとの間に形成される隙間１４ａ〜１４ｄに、パネルＰの外縁部分を挿入することによって、パネルＰを外枠部材Ａにしっかり組み付けられるようにている。すなわち、パネルＰを弾性力によって外枠部材Ａに押し付けるのではなく、パネルＰの外縁の全部を、外枠部材Ａによって保持するようにしている。このようにパネルＰの外縁の全部を外枠部材Ａによって保持することで、パネルＰの重量が増えたとしても、それを保持できるようにしている。
【００１４】
一方、図４に示すように、上記右辺部Ａ３には、挿入部１０，１１を固定している。そして、図３に示すように、挿入部１０を上記上辺部Ａ１の中空部８に摺動自在に挿入し、挿入部１１を下辺部Ａ２の中空部９に摺動自在に挿入している。
このようにした右辺部Ａ３は、挿入部１０，１１を、上辺部Ａ１及び下辺部Ａ２に出し入れすることによって、上辺部Ａ１及び下辺部Ａ２に対して移動できるようにしている。
ただし、上記右辺部Ａ３は、図１に示すように、挿入部１０，１１を上辺部Ａ１及び下辺部Ａ２に完全に挿入した状態で、図示していないボルトによって上辺部Ａ１及び下辺部Ａ２に固定するようにしている。そして、上記ボルトを取り外して、右辺部Ａ３を移動できるようにしている。
なお、上記左辺部Ａ４は、上記説明した右辺部Ａ３と同じ構成である。したがて、この左辺部Ａ４も、右辺部Ａ３と同様に、上辺部Ａ１及び下辺部Ａ２に対して動かすことができる。
【００１５】
図３に示すように、下辺部Ａ２の隙間１４ｂには、ベース部材１５を組み込んでいる。このベース部材１５は、パネルＰの下端を載せるためのものであり、このベース部材１５にパネルＰの下端を載せると、図３に示すように、パネルＰの上端が、上辺部Ａ１の隙間１４ａに挿入される寸法関係に設定している。そして、ベース部材１５にパネルＰの下端を載せた状態で、パネルＰの外縁全部が外枠部材Ａによって保持されるようにしている。
【００１６】
また、上記各辺部Ａ１，Ａ３，Ａ４に設けた前押さえ部材１２ａ，１２ｃ，１２ｄ及び後押さえ部材１３ａ，１３ｃ，１３ｄは、それぞれ各辺部Ａ１，Ａ３，Ａ４に固定されているが、下辺部Ａ２に設けた前押さえ部材１２ｂだけは、下辺部Ａ２に対して着脱自在にしている。そして、この下辺部Ａ２の前押さえ部材１２ｂを取り外した状態を図５に示す。
図示するように、下辺部Ａ２の前押さえ部材１２ｂを取り外すと、その取り外した部分にスペースＳができる。このスペースＳにパネルＰの下端を挿入すると、図６に示すように、パネルＰの上端が、上辺部Ａ１の隙間１４ａから抜け出す寸法関係に設定している。このようにしたのは、パネルＰを正面側から取り外すことができるようにするためであるが、その詳細については後で説明する。
【００１７】
一方、パネルＰは、上記したように三枚の板部Ｐ１〜Ｐ３によって構成されているが、各板部Ｐ１〜Ｐ３は、図８に示すように、同じサイズのプレート１７〜１９を三枚重ね合わせて固定してなる。ただし、プレート１７とプレート１９との間に位置するプレート１８だけを、前後のプレート１７，１９に対してずらして固定している。このように中間にあるプレート１８だけをずらすことによって形成される突出部分を連結用凸部２０としている。また、この連結用凸部２０とは反対側に形成される凹みを連結用凹部２１としている。
【００１８】
上記のようにした各板部Ｐ１〜Ｐ３は、例えば図９に示すように付き合わせると、一方の板部Ｐ２に設けた連結用凸部２０が、他方の板部Ｐ１に設けた連結用凹部２１に挿入される。このようにすると、各板部Ｐ１〜Ｐ３を確実に連結できる。
【００１９】
また、上記板部Ｐ１〜Ｐ３の表面には、絵画や写真などの図柄を印刷したシートをそれぞれ貼り付けている。そして、これら三枚の板部Ｐ１〜Ｐ３を隙間なく連結すると、まとまりのある一枚の絵画や写真などの図柄が構成されるようにしている。
さらに、上記パネルＰの裏面にも、表面と異なる絵画や写真などの図柄を印刷したシートを貼り付けている。この裏面についても、三枚の板部Ｐ１〜Ｐ３を連結することにより、まとまりのある一枚の絵画や写真などの図柄が構成されるようにしている。
なお、パネルＰに、絵画や写真などの図柄を印刷したシートを貼り付ける代わりに、パネルＰの両面に図柄を直接印刷してもよい。
【００２０】
次に、上記パネルＰを外枠部材Ａに組み付ける手順について説明する。
まず、パネルＰを組み付けていない外枠部材Ａの右辺部Ａ３を、図中右方向に移動させる（図４参照）。そして、下辺部Ａ２に設けた前押さえ部材１２ｂを、少しだけ右方向にスライドさせて、その一端を下辺部Ａ２から出っ張らせる。この出っ張らせた前押さえ部材１２ｂの一端を握り、下辺部Ａ２から前押さえ部材１２ｂを取り外す。前押さえ部材１２ｂを取り外すと、そこにスペースＳが形成されるので、そのスペースＳに、パネルＰを構成する板部Ｐ１の下端を挿入する（図７参照）。そして、図６に示すように、板部Ｐ１を上辺部Ａ１の真下に移動させた後、図５に示すように板部Ｐ１の上端を上辺部１２ａの隙間１４ａに挿入しつつ、その下端をベース部材１５に載せる。
【００２１】
上記と同様の手順によって、板部Ｐ２もベース部材１５に載せるが、ベース部材１５に板部Ｐ２を載せたら、その板部Ｐ２を板部Ｐ１側にスライドさせる。そして、この板部Ｐ２を板部Ｐ１に連結する（図９参照）。これと同様にして、板部Ｐ３を板部Ｐ２に連結する。このようにして全ての板部Ｐ１〜Ｐ３を連結したら、下辺部Ａ２のスペースＳに前押さえ部材１２ｂを組み付ける。そして、右辺部Ａ３を上辺部Ａ１及び下辺部Ａ２側に移動させて、組み付け作業が完了する。
【００２２】
上記前押さえ部材１２ｂをスペースＳに組み付けると、この前押さえ部材１２ｂと後ろ押さえ部材１３ｂとによって各板部Ｐ１〜Ｐ３の下側部分が保持される。また、上辺部Ａ１、右辺部Ａ３，左辺部Ａ４においても、それぞれ前押さえ部材１２ａ，１２ｃ，１２ｄおよび後押さえ部材１３ａ，１３ｃ，１３ｄによって、板部Ｐ１〜Ｐ３からなるパネルＰの上側、右側、左側が保持される。
すなわち、この第１実施形態によれば、パネルＰの外縁部分、すなわちパネルＰの四辺全てを前押さえ部材１２と後押さえ部材１３とによって保持する構成にしたので、パネルＰをバランスよく一定の力で保持することができる。そのため、サイズが大きくて重量のあるパネルＰでも、傷つけることなく外枠部材Ａに組み付けることができる。つまり、原画の大きい絵画を、原寸サイズでパネルＰに印刷等した場合においても、その大きなパネルＰを傷つけることなく飾ることができる。
【００２３】
また、この第１実施形態では、各後押さえ部材１３ａ〜１３ｄに固定したクッション部材１６ａ〜１６ｂが、パネルＰのがたつきを押さえるだけでなく、板部Ｐ１〜Ｐ３の厚みのばらつきも吸収する機能も発揮するようにしている。
【００２４】
一方、パネルＰを外枠部材Ａから取り外す場合には、図１に示すように、パネルＰの表面を正面に向けている状態から、図４に示すように、右辺部Ａ３を図中右方向に移動させる。このように右辺部Ａ３を移動させて、下辺部Ａ２に設けた前押さえ部材１２ｂを取り外す。
【００２５】
前押さえ部材１２ｂを取り外したら、板部Ｐ３を図中右方向にずらす。板部Ｐ３をずらすと、その両側に隙間ができるので、その隙間に両手を入れて、この板部Ｐ３の両側をつかみ、図６に示すように、その下方を手前側に移動させる。そして、板部Ｐ３の下端を前押さえ部材１２を取り外したスペースＳに挿入する。このように板部Ｐ３の下端をスペースＳに挿入すると、板部Ｐ３の上端が上辺部Ａ１に有する隙間１４ａから抜け出す。そのため、図６中、矢印方向すなわち正面側に板部Ｐ３を倒せば、図７に示すように、板部Ｐ３を取り外すことができる。
なお、他の板部Ｐ２，Ｐ１についても、上記と同様にして外枠部材Ａから取り外すことができる。
【００２６】
以上のように、この第１実施形態によれば、下辺部Ａ２に設けた前押さえ部材１２ｂを取り外すことによって、正面からパネルＰ２を取り付けたり取り外したりできる。しかも、一枚のパネルＰを三枚に分割して取り扱うことができるので、パネル全体の寸法が大きい場合においても、その取り扱いが簡単にでき、一人で交換することも可能である。そして、このようにパネルＰの交換作業が簡単にできるので、パネルＰを前後をひっくり返せば、その両面の絵画を交互に楽しむこともできる。
さらに、パネルＰを分割すれば、収納スペースも小さくて足り、また、搬送コストも安く抑えることができる。
【００２７】
ところで、上記パネルＰを構成する板部Ｐ１〜Ｐ３は、そのサイズが大きくなればなるほどたわみやすくなる。しかし、この第１実施形態では、図８に示すように、三枚のプレート１７〜１９を重ねて固定し、一枚の板部Ｐ１〜Ｐ３を構成しているので、全体的な強度を高めることができる。そのため、板部Ｐ１〜Ｐ３のたわみ、すなわちパネルＰのたわみを防止できる。
【００２８】
また、三枚のプレートＰ１７〜１９のうち、中間のプレートＰ１８だけをずらすことによって、連結用凸部２０と連結用凹部２１とを形成しているので、板部Ｐ１〜Ｐ３同士を連結するための部材を、各板部Ｐ１〜Ｐ３に特別に取り付ける必要がない。したがって、その分、板部Ｐ１〜Ｐ３の製造コスト、すなわちパネルＰの製造コストを安く抑えることができる。
【００２９】
なお、上記板部Ｐ１〜Ｐ３は、それがたわまないだけの強度を備えていれば、三枚のプレート１７〜１９によって構成する代わりに、一枚のプレートによって構成してもよい。その場合には、図１０に示すように、各板部Ｐ１、Ｐ２に連結部材２２，２３を固定し、これら連結部材２２，２３を図１１に示すようにかみ合わせることにより、隣り合う板部同士を連結するようにすればよい。
また、上記第１実施形態では、右辺部Ａ３を動かしてパネルＰを交換しているが、左辺部Ａ４を動かしてパネルＰを交換するようにしてもよい。
【００３０】
図１２、図１３に示す第２実施形態は、外枠部材Ａに、二枚のパネルＰａ、Ｐｂを組み付けたものである。すなわち、この第２実施形態では、前押さえ部材１２ａ，１２ｂと後押さえ部材１３ａ，１３ｂとの間に形成される隙間１４ａ，１４ｂを、パネルＰａとＰｂの厚みを考慮して設定している。つまり、二枚のパネルＰａ、Ｐｂを重ねて隙間１４ａ，１４ｂに挿入することができるようにしている。そして、この隙間１４ａ，１４ｂに合わせて、ベース部材１５の幅も広げている。
なお、右辺部Ａ３及び左辺部Ａ４の隙間１４ｃ，１４ｄ（図２参照）についても、上記上辺部Ａ１及び下辺部Ａ２と同様の大きさに設定している。
【００３１】
また、図１３に示すように、上記二枚のパネルＰａ，Ｐｂのうち、前側に設けたパネルＰａは、三枚の板部Ｐ１〜Ｐ３によって構成しているが、後側に設けたパネルＰｂは、四枚の板部ｐ１〜ｐ４によって構成している。
このようにしたのは、前側のパネルＰａの突き合わせ面と、後側のパネルＰｂの突き合わせ面とをずらすためである。すなわち、前側のパネルＰａと後側のパネルＰｂの突き合わせ面をずらすと、前側のパネルＰａが後側のパネルＰｂの突き合わせ面の前後のずれを規制し、後側のパネルＰｂが前側のパネルＰａの突き合わせ面の前後のずれを規制する。このようにすることで、各パネルＰａ，Ｐｂのたわみを防止するようにしている。
【００３２】
また、この第２実施形態において、前側のパネルＰａを透明または半透明にすれば、後側のパネルＰｂの図柄を、前側のパネルＰａの図柄に重ね合わせて見せることができる。
さらに、前側のパネルＰａの図柄と、後側のパネルＰｂの図柄との組み合わせによって、いろいろなバリエーションの図柄を創作することもできる。しかも、上記したように、パネルＰの交換作業が簡単にできるので、例えば日替わりで異なる図柄を楽しむこともできる。
【００３３】
ところで、所有するパネルＰの枚数が増えてくると、それを収納しておくスペースが問題となる。特に、パネルＰが大きい場合には、収納スペースに困る場合がある。その問題を解決したのが、以下に説明する第３実施形態である。すなわち、この第３実施形態では、図１４に示すように、外枠部材Ａの上辺部Ａ１の隙間１４ａを、前記第１、第２実施形態に比べて深くしている。そして、この隙間１４ａにパネルＰの上端を挿入したときに、このパネルＰの下端部が、下辺部Ａ２に設けた後押さえ部材１３ｂの上面２５よりも上方に位置する寸法関係に設定している。
したがって、パネルＰを持ち上げて、外枠部材Ａの上辺部Ａ１の隙間１４ａにパネルＰの上端を挿入すれば、パネルＰの下端部が後押さえ部材１３ｂにひっかからずに、後側に移動させることができる。つまり、外枠部材Ａと壁Ｗとの間の空間を収納スペースとし、このスペースに使用していないパネルＰを収納しておくことができる。
【００３４】
なお、上記第１〜第３実施形態では、パネルＰを複数の板部によって構成しているが、パネルＰ一枚のサイズがそれほど大きくなければ、一枚の板部によってパネルＰを構成してもよい。
また、上記第１〜第３実施形態におけるパネルＰには、絵画や写真を印刷したり貼り付けたりする以外にも、広告や宣伝用の図柄を印刷したり貼り付けたりしてもよい。
【００３５】
【発明の効果】
第１の発明によれば、外枠部材の内側に、所定の間隔をあけて前押さえ部材と後押さえ部材とを設けるとともに、これら前押さえ部材と後押さえ部材との間にできる隙間に、パネルの外縁部分を挿入してこのパネルを固定する構成にしたので、サイズが大きくて重量のあるパネルでも、それを傷つけることなく組み付けることができる。しかも、外枠部材の下辺部に設けた前押さえ部材を取り外したときにできるスペースに、パネルの下端を挿入すると、パネルの上端が外枠部材の上辺部に有する隙間から抜け出す構成にしたので、正面側からパネルを簡単に交換することもできる。
【００３６】
第２の発明によれば、前押さえ部材と後押さえ部材との間にできる隙間に、クッション部材を設けたので、パネルのがたつきを防止することができる。また、パネルの厚みにばらつきがある場合でも、その厚みのばらつきをクッション部材によって吸収することができる。。
第３の発明は、外枠部材の上辺部に設けた隙間に、パネルの上端を挿入すると、このパネルの下端が外枠部材の下辺部に設けた後押さえ部材の上面よりも上方に位置する構成にしたので、パネルを外枠部材の裏側に収納することができる。
【００３７】
第４の発明によれば、パネルの両面に、絵画や写真などの図柄を設けたので、パネルの裏表を交換することによって、パネル両面の図柄を楽しむことができる。特に、大きなパネルを組み付けたときにも、そのパネルの表面が傷つかないようにしているので、芸術性が高くて、しかも高価な絵画の複製などを、原寸サイズでパネルの両面に設ける場合に最適である。さらに、パネルの交換が簡単にできるので、パネルの両面の図柄を頻繁に変えることもできる。
第５の発明によれば、複数の板部を突き合わせることによって一枚のパネルを構成したので、パネルのサイズが大きくなった場合でも、それを分割すれば、コンパクトにすることができる。したがって、パネルの収納スペースがそれほど広くなくても収納することができ、また、コンパクトに梱包することによって搬送コストも安くすることができる。
【００３８】
第６の発明によれば、板部の突き合わせ面に連結部を設けるとともに、この連結部によって対向する板部を連結する構成にしたので、パネルのたわみを防止することができる。
第７の発明によれば、複数のプレートを重ね合わせて一枚のパネルを構成し、間に位置するプレートを、前面及び後面に位置するプレートに対してずらすとともに、このずらしたプレートが他のプレートに対して突出した部分によって連結用凸部を形成し、ずらしたプレートが他のプレートに対して窪んだ部分によって連結用凹部を形成し、これら連結用凸部および連結用凹部によって連結部を構成したので、連結部を別に設ける必要がない。したがって、その分、コストを安くすることができる。
【図面の簡単な説明】
【図１】第１実施形態の正面図である。
【図２】図１のＩＩ−ＩＩ線断面図である。
【図３】図１のＩＩＩ―ＩＩＩ線断面図である。
【図４】外枠部材Ａの右辺部Ａ３を移動させた状態を示す正面図である。
【図５】下辺部Ａ２の前押さえ部材１２ｂを取り外した状態を示す断面図である。
【図６】前押さえ部材１２ｂを取り外したスペースＳにパネルＰの下端を挿入した状態を示す断面図である。
【図７】パネルＰを取り外す直前の状態を示す断面図である。
【図８】パネルＰを構成する各板部Ｐ１〜Ｐ３の斜視図である。
【図９】板部Ｐ１と板部Ｐ２とを連結する状態を示す説明図である。
【図１０】他の板部Ｐ１、Ｐ２を示す正面図である。
【図１１】板部Ｐ１と板部Ｐ２とを連結した状態を示す説明図である。
【図１２】第２実施形態の断面図である。
【図１３】第２実施形態の正面図である。
【図１４】第３実施形態の断面図である。
【図１５】従来の額を示す正面図である。
【符号の説明】
Ａ　外枠部材
１２ａ〜１２ｄ　前押さえ部材
１３ａ〜１３ｄ　後押さえ部材
１４ａ〜１４ｄ　隙間
Ｐ　パネル
１５　ベース部材
Ａ１　外枠部材の上辺部
Ａ２　外枠部材の下辺部
Ａ３　外枠部材の右辺部
Ａ４　外枠部材の左辺部
２２，２３　連結部材
１７〜１９　プレート
２０　連結用凸部
２１　連結用凹部
【図１】
2004016340.tif 000003
【図２】
2004016340.tif 000004
【図３】
2004016340.tif 000005
【図４】
2004016340.tif 000006
【図５】
2004016340.tif 000007
【図６】
2004016340.tif 000008
【図７】
2004016340.tif 000009
【図８】
2004016340.tif 000010
【図９】
2004016340.tif 000011
【図１０】
2004016340.tif 000012
【図１１】
2004016340.tif 000013
【図１２】
2004016340.tif 000014
【図１３】
2004016340.tif 000015
【図１４】
2004016340.tif 000016
【図１５】
2004016340.tif 000017